(57)【要約】【課題】  多重接客方式を採用する写真シール作成装置において、装置の回転率を低下させること無く、ユーザから高い関心を得られるとともに、ユーザの手荷物の盗難等が発生することを抑制する。【解決手段】  ユーザ７を撮影する撮影ブース６と、撮影ブース６とは異なる箇所に少なくとも一つ設けられて撮影ブース６において撮影した画像に対して編集処理を行うための編集ブース１７とを備える写真シール作成装置において、編集ブース１７に、前記撮影した画像を表示するタブレットディスプレイ１２と、タブレットディスプレイ１２に対して編集情報を入力するタッチペン１３と、タブレットディスプレイ１２の近傍に配置されている鏡面体１４とを備える。【選択図】図１
2007199550.tif 000002
【特許請求の範囲】
【請求項１】
ユーザを撮影する撮影ブースと、前記撮影ブースとは異なる箇所に少なくとも一つ設けられて前記撮影ブースにおいて撮影した画像に対して編集処理を行うための編集ブースとを備える写真シール作成装置において、前記編集ブースに、前記撮影した画像を表示する表示手段と、前記表示手段に対して編集情報を入力する入力手段と、前記表示手段の近傍に配置されている鏡面体とを備えることを特徴とする写真シール作成装置。
【請求項２】
鏡面体は板状で、表示手段の周囲に配置されていることを特徴とする請求項１記載の写真シール作成装置。
【請求項３】
鏡面体の表面には、前記鏡面体の表面を保護する透明の保護プレートが設けられていることを特徴とする請求項２記載の写真シール作成装置。
【発明の詳細な説明】
【技術分野】
【０００１】
本発明は、写真シール作成装置に関する。
【背景技術】
【０００２】
アミューズメント施設等に設置され、設けられた撮影ブース内において被写体（ユーザ）を自動的に撮影し、撮影ブースとは異なる編集ブースにおいて、ユーザから撮影画像に対してされる編集入力を受け付け、撮影した撮影画像と受け付けた編集画像とを合成して印刷用画像を作成し、この印刷用画像をシール等の印刷媒体に印刷して提供する写真シール作成装置があることは広く知られている。
【０００３】
このような写真シール作成装置においては、撮影処理を行う撮影ブースと編集処理を行う編集ブースとが互いに異なる位置に設けられ、異なるユーザが撮影ブースでの撮影プレイと編集ブースでの編集プレイとを同時に行えるようにしたいわゆる二重接客、編集ブースが２つであれば三重接客と呼ばれる形態をとっているものがある。
【０００４】
近年の写真シール作成装置の利用者は、比較的に若い世代のユーザが多くを占めており、このようなユーザの関心を得るためには、写真シール作成装置自体の性能もさることながら、撮影時のポーズの取り易さや装置の見た目の華やかさも重要な要素となっている。
【０００５】
このような中、撮影時のポーズの取り易さを提供するものとしては、例えば特許文献１および特許文献２に開示されているような写真シール作成装置がある。この特許文献１および特許文献２にて開示されている写真シール作成装置は、撮影ブースと編集ブースとが同一の位置に設けられている、すなわち上記のような多重接客方式を採用していない写真シール作成装置であるが、撮影時のポーズが取り易くなるよう、ユーザが撮影時に向かい合う面に鏡板が設けられている。
【０００６】
このような構成によると、ユーザは、撮影時にこれらの鏡板を見ながら好みの撮影ポーズを形成することができ、また、撮影終了後には、この鏡板を用いることによって、頭髪や着衣の乱れなどを直すことができるので、このような鏡板は、ユーザにとっては有用なものとなっている。
【０００７】
また、写真シール作成装置の見た目の華やかさを付加する方法としては、写真シール作成装置を装飾する案内や広告などを楽しげな内容にしたり、目立つ配色にしたりするなどの方法がある。
【特許文献１】特開２００１−２９６６００号公報
【特許文献２】特開２０００−６９４０４号公報
【発明の開示】
【発明が解決しようとする課題】
【０００８】
しかしながら、上記において、特許文献１および特許文献２に開示されているような写真シール作成装置の場合、撮影ブースと編集ブースとが同一の位置に設けられており、このようなブースに鏡面が設けられていると、撮影時のポーズは形成しやすくなるが、撮影終了後や編集終了後に、この鏡面を用いて頭髪や着衣の乱れなどを直すユーザが多くなってしまい、ユーザが無用にブース内に残ることを助長してしまうことになるので、結果として、装置の回転率の面で無駄が生じてしまうことがある。
【０００９】
また、写真シール作成装置の見た目の華やかさを付加する方法としては、写真シール作成装置を装飾する案内や広告などを楽しげな内容にしたり、目立つ配色にしたりするなどの方法があることは既に述べたが、この方法とは異なる方法として、電飾を用いることもできる。しかし、写真シール作成装置全体として使用可能な電力量は規定されており、また、装置の稼働時には前記電力量に迫る程度の電力を消費するため、装置の見た目の華やかさを付加するためだけに余計な電力を消費することはむしろ抑制される傾向にある。したがって、装置の見た目の華やかさを付加する方法としては、できるだけ電力を消費しないで、かつ、ユーザに対して目立つことが望まれている。
【００１０】
さらに、近年の写真シール作成装置においては、上述したように、多重接客方式を採用することで、撮影ブースと編集ブースとを分離し、顧客の回転率を向上させる形態のものが多く、また、ユーザからのさまざまな要望に応え続けることにより、写真シール作成装置は、いっそう楽しい撮影プレイならびに編集プレイをユーザに対して提供できるようになっている。しかしながらその反面、ユーザが装置の利用に熱中するあまり、自身の手荷物などの管理が甘くなることがある。特に、撮影プレイの場合であれば、カメラが現在捉えている画像がライブモニタに映し出されるため、手荷物を撮影ブース内に置いておけばよいのであるが、編集プレイにおいては、ユーザは編集画面に対して集中することが多く、また、編集ブースも周囲カーテンに囲まれているため、ユーザは編集画面に対してより集中しやすくなる。このため、ユーザは、自身の後方や足元に対する注意が薄れがちになり、手荷物の盗難や紛失に遭ってしまうことがある。
【００１１】
そこで本発明はこのような問題を解決して、多重接客方式を採用する写真シール作成装置において、装置の回転率を低下させること無く、ユーザから高い関心を得られるとともに、ユーザの手荷物の盗難等が発生することを抑制することを目的とする。
【課題を解決するための手段】
【００１２】
上記課題を解決するために請求項１記載の発明は、ユーザを撮影する撮影ブースと、前記撮影ブースとは異なる箇所に少なくとも一つ設けられて前記撮影ブースにおいて撮影した画像に対して編集処理を行うための編集ブースとを備える写真シール作成装置において、前記編集ブースに、前記撮影した画像を表示する表示手段と、前記表示手段に対して編集情報を入力する入力手段と、前記表示手段の近傍に配置されている鏡面体とを備えるものである。
【００１３】
このような構成によると、編集ブースにおける表示手段の近傍に鏡面体を備えることによって、ユーザが編集ブースを利用する際には、編集ブース内の照明や、写真シール作成装置を設置している施設の内部の照明が、この鏡面体に反射するので、前記鏡面体は、電力を消費することなく編集ブース内を明るく華やかにすることができる。これにより、編集ブースに入ってくるユーザに対して、第一印象として、明るく綺麗で華やかな印象を与えることができる。また、鏡面体を備えることで、ユーザは、撮影の終了後にそのまま撮影ブースに長居することなく速やかに編集ブースに移動し、編集ブースにおいてこの鏡面体を見ながら頭髪や着衣の乱れを正すことができる。したがって、写真シール作成装置の顧客回転率を低下させることがない。さらに、編集処理中のユーザは、処理対象の画像が表示される表示手段に集中するが、このようにユーザが表示手段に集中している状態であっても、鏡面体は表示手段の近傍、すなわち編集処理中のユーザの視界に入る位置に設けられており、常に、ユーザの背後における人の往来の有無を映し出している。このため、特に人影などが鏡面体に映り込めば、ユーザはこれに気付くことができるので、編集処理に熱中しすぎることで、自分の手荷物等の管理がおろそかになることを防止して、手荷物の盗難、紛失等の発生を抑制することができる。
【００１４】
請求項２記載の発明は、請求項１記載の写真シール作成装置において、鏡面体は板状で、表示手段の周囲に配置されているものである。
【００１５】
このような構成によると、鏡面体が板状に形成されて、ユーザの意識が集中する表示手段の周囲に配置されていることで、編集ブースに入ってくるユーザに対して、明るく綺麗で華やかな印象をより効果的に与えることができるとともに、ユーザの背後における人の往来の有無を、ユーザに対してよりわかりやすく映し出すことができる。
【００１６】
請求項３記載の発明は、請求項２記載の写真シール作成装置において、鏡面体の表面には、前記鏡面体の表面を保護する透明の保護プレートが設けられているものである。
【００１７】
このような構成によると、鏡面体の表面に汚れが直接付着することを防止することができ、鏡面体の表面が曇ることを防止することができる。これにより、鏡面体を設けたことで奏する、編集ブース内を明るく華やかにできるといった効果や、ユーザの手荷物の盗難、紛失等の発生を抑制できるといった効果を、保護プレートを設けない場合に比べて持続させることができる。さらに、この鏡面体の表面と保護プレートとの間に、編集処理の手順等を記載した案内紙片などを介在させることができ、ユーザに対して、遊び方をよりわかりやすく説明することができる。
【発明の効果】
【００１８】
以上のように本発明によれば、多重接客方式を採用する写真シール作成装置において、装置の回転率を低下させること無く、ユーザから高い関心を得られるとともに、ユーザの手荷物の盗難等が発生することを抑制することができる。
【発明を実施するための最良の形態】
【００１９】
本発明の実施の形態の写真シール作成装置１を、図１〜図４を参照しながら説明する。図１は、本発明の実施の形態の写真シール作成装置１の全体図、図２（ａ）は、編集側筐体１０の側面図、図２（ｂ）は、鏡面体１４と編集側筐体１０との取付構造を説明する図、図３は、ユーザ７が編集ブース１７において編集プレイを行っている状態であって、ユーザ７の背後に他人１１が近付いた場合を説明する図、図４は、図３に示す場合における、タブレットディスプレイ１２の近傍を示す拡大図である。
【００２０】
図１に示すように、写真シール作成装置１は、被写体を撮影するカメラ２を備えるとともに種々の処理および制御を行う機器を備える撮影側筐体３と、この撮影側筐体３におけるカメラ２と対向する位置に距離を置いて設けられている背景ユニット４と、撮影側筐体３と背景ユニット４の上部に左右一対の天井フレーム５が架設されて形成される撮影ブース６内に設けられ、被写体であるユーザ７の撮影ポーズの形成を補助する門型のはしご８および移動可能な可動椅子９と、撮影側筐体３の背面に隣接して設けられている編集側筐体１０とを備える。
【００２１】
撮影側筐体３における背景ユニット４に対向する側の面には、カメラ２のほか、図示は省略するが、カメラ２が現在撮影している画像をユーザ７に対してリアルタイムで表示するライブモニタと、ユーザ７からの操作入力を受け付けるとともにデモ画面や撮影操作の手順等をユーザ７に対して表示するタッチパネルディスプレイと、撮影時にユーザ７を照射するための複数のストロボと、コインを投入するためのコイン投入口と、撮影操作時に音声案内やＢＧＭを出力する撮影側スピーカとが設けられている。
【００２２】
さらに、この撮影側筐体３の外部における一方の側面にはプリント取出口１５が設けられ、このプリント取出口１５からは、撮影画像と編集入力した画像とを合成した印刷用画像（編集画像を入力しなかった場合には撮影画像）が撮影側筐体３の内部に収納されたプリンタによってシールシートなどの印刷媒体に印刷されたものが排出される。
【００２３】
背景ユニット４の上部には、撮影時に上下方向に展開されてユーザ７の背景となる複数種類の背景カーテン１８ａ〜１８ｃを備えたカーテンユニット１８が設けられている。背景カーテン１８ａ〜１８ｃは、未使用時にはカーテンユニット１８内に巻き取られた状態で収納されている。これらの背景カーテン１８ａ〜１８ｃは、ユーザ７からのタッチパネルディスプレイへの操作を介して指定されたものが、背景ユニット４の壁面に沿って展開される。
【００２４】
一方、図１および図２に示すように、編集側筐体１０には、撮影ブース６において撮影した画像を表示する表示手段としてのタブレットディスプレイ１２と、タブレットディスプレイ１２に対して編集情報を入力する入力手段としてのタッチペン１３と、タブレットディスプレイ１２の左右に配置されている照明２１とが備えられており、このタブレットディスプレイ１２の周囲には、板状の鏡面体１４が配置されており、この鏡面体１４の表面には、この鏡面体１４の表面を保護するための保護プレート１６が配置されている。また、図示は省略しているが、編集側筐体１０には、編集入力操作時に音声案内やＢＧＭを出力する編集側スピーカとが設けられている。さらに、編集側筐体１０の反対側にも、タッチペン１３、タブレットディスプレイ１２、編集側スピーカが設けられており、異なる２組のユーザが、それぞれが撮影した画像に対して同時に編集処理を行うことが可能とされている。また、図１および図２（ａ）における１７は、撮影ブース６とは異なる箇所に設けられて、ユーザ７が、撮影された画像に対して編集処理を行う編集ブースである。したがって、本実施の形態の写真シール作成装置１は、一つの撮影ブース６と二つの編集ブース１７とを備える三重接客方式を採用している。なお、撮影ブース６、編集ブース１７の周囲には、この撮影ブース６と編集ブース１７とが周囲から切り離された空間となるよう、周囲カーテンが設けられているが、図示は省略している。
【００２５】
図２（ｂ）に示すように、鏡面体１４および保護プレート１６には、貫通孔１４ａ、１６ａが形成されており、これらの貫通孔１４ａ、１６ａにねじなどの止め具１９が通され、この止め具１９と編集側筐体１０とが互いに止められることで、鏡面体１４および保護プレート１６は、編集側筐体１０に取り付けられている。なお、保護プレート１６は透明の、例えばアクリル製の板材であり、鏡面体１４は、その材質は特に限定されるものではなく、所定の表面仕上げが施されることで、編集ブース１７内の照明２１や写真シール作成装置１が設置されている施設内の照明を良好かつ十分に反射できるとともに、人の姿や物の形状を鮮明に映し出すことができる程度の部材、すなわち鏡面としての作用を奏する程度の部材であればよい。
【００２６】
以上のような構成において、ユーザ７は、撮影ブース６内において、はしご８や可動椅子９を利用するなどして好みの撮影ポーズを形成して写真撮影を行う。そして、撮影を行ったユーザ７は、この撮影ブース６内に滞留することなく、撮影した画像が表示される編集ブース１７に移動し、タッチペン１３を用いて、撮影画像が表示されるタブレットディスプレイ１２に編集入力を行う。
【００２７】
このとき、上述したように、タブレットディスプレイ１２の周囲に鏡面体１４が配置されていることにより、撮影プレイを終えたユーザ７が編集ブース１７に入ってきた際には、この鏡面体１４が、編集ブース１７内の照明２１や、写真シール作成装置１が設置されている施設内の照明等をユーザ７に対して反射させるので、ユーザ７に対して、編集ブース１７内が明るいという印象を与えることができる。すなわち、鏡面体１４を設けたことにより、余計な電力を消費することなく編集ブース１７内を明るく華やかにすることができる。これにより、編集ブース１７に入ってくるユーザ７に対して、第一印象として、明るく綺麗で華やかな印象を与えることができる。また、ユーザ７は、編集ブース１７においてこの鏡面体１４を見ながら頭髪や着衣の乱れを正すことができる。したがって、ユーザ７を撮影ブース６に滞留させることが無いので、写真シール作成装置１の顧客回転率を低下させることがない。
【００２８】
また、図３に示すように、ユーザ７は、撮影画像が表示されるタブレットディスプレイ１２に対して、タッチペン１３により、編集情報の入力を開始する際には、手荷物２０などを自分の足元などに置いて、編集処理を行うことが多い。
【００２９】
編集処理を開始したユーザ７は、編集対象となる撮影画像が表示されているタブレットディスプレイ１２に対して注意がひきつけられ、また、編集ブース１７は、上述したように周囲カーテンに囲まれて、編集ブース１７の外部とは遮断された空間となっているため、ユーザ７は、タブレットディスプレイ１２に対して集中しやすくなってしまう。
【００３０】
このため、ユーザ７の注意は、足元の手荷物２０から次第に放れてしまうことになる。しかしながら、このとき、ユーザ７以外の他人１１が、ユーザ７の背後もしくは手荷物２０に近付いた際には、図４に示すように、この他人１１の姿が、タブレットディスプレイ１２の周囲に配置されている鏡面体１４に映し出される。そうすると、ユーザ７は、タブレットディスプレイ１２に対して集中している状態であっても、鏡面体１４に映し出されている他人１１の姿に気付き、自分の手荷物２０に対して注意を払うことができる。
【００３１】
このように、特に人影などが鏡面体１４に映り込めば、編集処理中であってもユーザ７はこれに気付くことができるので、編集処理に熱中しすぎることで、自分の手荷物２０等の管理がおろそかになることを防止して、手荷物２０の盗難、紛失等の発生を抑制することができる。また、鏡面体１４の表面に、鏡面体１４の表面を保護する透明の保護プレート１６が設けられていることで、鏡面体１４の表面に汚れが直接付着することを防止することができ、鏡面体１４の表面が曇ることを防止することができる。これにより、鏡面体１４を設けたことで奏する、編集ブース１７内を明るく華やかにできるといった効果や、ユーザ７の手荷物２０の盗難、紛失等の発生を抑制できるといった効果を、保護プレート１６を設けない場合に比べて持続させることができる。さらに、この鏡面体１４の表面と保護プレート１６との間に、編集処理の手順等を記載した案内紙片、らくがきＰＯＰ（Ｐｏｉｎｔ  Ｏｆ  Ｐｕｒｃｈａｓｅ  ａｄｖｅｒｔｉｓｉｎｇ）などを介在させることができ、ユーザ７に対して、遊び方をよりわかりやすく説明することができる。
【００３２】
また、上記においては、鏡面体１４をタブレットディスプレイ１２の周囲に配置している場合を説明したが、これに限らず、例えば、編集ブース１７においてユーザ７に相対する位置であればよく、特に手荷物２０の防盗効果を所望する場合には、鏡面体１４をユーザ７の足元となる位置に設けてもよい。
【００３３】
以上のようにして、編集入力が終わると、クロマキー合成が行われて生成された印刷用画像がシールシートに印刷されて排出されるプリント取出口１５に移動し、出力されるシールシートを取得して写真シール作成装置１の利用を終了する。
【図面の簡単な説明】
【００３４】
【図１】本発明の実施の形態の写真シール作成装置の全体図である。
【図２】（ａ）は、編集側筐体の側面図、（ｂ）は、鏡面体と編集側筐体との取付構造を説明する図である。
【図３】ユーザが編集ブースにおいて編集プレイを行っている状態であって、ユーザの背後に他人が近付いた場合を説明する図である。
【図４】図３に示す場合における、タブレットディスプレイの近傍を示す拡大図である。
【符号の説明】
【００３５】
６    撮影ブース
７    ユーザ
１２    タブレットディスプレイ
１３    タッチペン
１４    鏡面体
１７    編集ブース
【図１】
2007199550.tif 000003
【図２】
2007199550.tif 000004
【図３】
2007199550.tif 000005
【図４】
2007199550.tif 000006